(57)【特許請求の範囲】
【請求項１】
原稿トレイに載置された原稿を画像読取位置へ１枚ずつ搬送する原稿搬送機構と、
前記原稿搬送機構により前記画像読取位置に搬送された原稿の画像データを取得する搬送原稿読取部と、
前記原稿トレイ上の原稿の有無を検知する搬送原稿検知部と、
前記原稿搬送機構による搬送を伴わない原稿が載置される原稿載置面を有する原稿台と、
前記原稿台に載置された原稿の画像データを取得する固定原稿読取部と、
前記原稿台上の原稿の有無を検知する固定原稿検知部と、
ユーザーによる原稿読取開始指示を受け付ける指示受付部と、
前記指示受付部により原稿読取開始指示が受け付けられた際に、前記搬送原稿検知部及び前記固定原稿検知部により、前記原稿トレイ上の原稿及び前記原稿台上の原稿が検知された場合、前記原稿台上の原稿が放置原稿であるか否かを判定する判定部と、
前記判定部により放置原稿であると判定された場合、前記搬送原稿読取部により取得された画像データを処理対象とし、前記判定部により放置原稿でないと判定された場合、前記搬送原稿読取部により取得された画像データと、前記固定原稿読取部により取得された画像データとのいずれの画像データを処理対象とするかをユーザーに問い合わせる、処理対象選択部と、
を備える画像処理装置。
【請求項２】
前記固定原稿読取部により以前に取得された画像データを保持する固定原稿画像保持部と、
前記指示受付部により原稿読取開始指示が受け付けられた際に、前記搬送原稿検知部及び前記固定原稿検知部により、前記原稿トレイ上の原稿及び原稿台上の原稿が検知された場合、前記固定原稿読取部及び前記搬送原稿読取部に、画像データの取得を指示する読取制御部と、
前記読取制御部の指示に応じて前記固定原稿読取部により取得された画像データと、前記固定原稿画像保持部に保持された画像データとを比較する比較部と、
をさらに備え、
前記判定部は、前記比較部により同一画像ありと判定された場合、前記原稿台上の原稿が放置原稿であると判定し、前記比較部により同一画像なしと判定された場合、前記原稿台上の原稿が放置原稿でないと判定する、請求項１記載の画像処理装置。
【請求項３】
前記固定原稿画像保持部は、以前に取得された複数の画像データを保持する、請求項２記載の画像処理装置。
【請求項４】
前記固定原稿画像保持部は、取得から予め指定された保持時間が経過した画像データを破棄する、請求項２又は請求項３記載の画像処理装置。
【発明の詳細な説明】
【技術分野】
【０００１】
本発明は、画像処理装置に関し、特に、原稿搬送装置を備える画像処理装置に関する。
【背景技術】
【０００２】
複写機やファクシミリ、スキャナー、複合機等の画像処理装置として、読取対象の原稿が載置される原稿台の下方に、移動可能なキャリッジを設けた構成が知られている。このような画像処理装置では、キャリッジを移動させることで、画像読取対象面を原稿台に向けて原稿台上に載置された原稿の画像を読み取ることができる。また、画像処理装置では、複数の原稿の画像を高速に読み取るために原稿搬送装置が使用されている。原稿搬送装置は、原稿トレイに積載された原稿を１枚ずつ自動的に画像読取位置に搬送する。これにより、画像処理装置は各原稿を連続的に読み取ることができる。
【０００３】
原稿搬送装置は、原稿台を開閉するプラテンカバーと一体に構成されること多い。このような原稿搬送装置を備える画像処理装置では、原稿台上に放置された原稿がある場合に、原稿搬送装置により搬送された原稿が放置された原稿と接触して破損等が発生しないように、原稿搬送装置により搬送される原稿の画像読取位置が原稿台の原稿載置範囲外に設定された構成が広く採用されている。このような画像処理装置では、原稿搬送装置の画像読取位置に対応してスリットガラス（読取用ガラス）が設けられている。このスリットガラスは原稿台と離間して設けられている。
【０００４】
例えば、特許文献１は、原稿搬送装置に載置された原稿と原稿台に載置された原稿とが存在する場合、いずれの読み取りを優先させるかをユーザーにより予め設定可能な画像読取装置を開示している。この構成では、原稿搬送装置に載置可能な原稿と原稿搬送装置に載置できない原稿とが混在した書類であっても連続して画像を読み取ることができる。
【０００５】
また、特許文献２は、原稿搬送装置に載置された原稿と原稿台に載置された原稿とが存在する場合、いずれの原稿の画像を読み取るかをユーザーに選択させる画像読取装置を開示している。この構成では、ユーザーが希望する原稿の画像読取を確実に実行することができる。
【先行技術文献】
【特許文献】
【０００６】
【特許文献１】特開２００９−２３１８８７号公報
【特許文献２】特開２０１１−０７７８１２号公報
【発明の概要】
【発明が解決しようとする課題】
【０００７】
特許文献１、２が開示する技術では、原稿搬送装置に載置された原稿と原稿台に載置された原稿とが存在する場合の動作を、画像読取の都度、ユーザーが設定する必要がある。特許文献１の事例のように、原稿搬送装置と原稿台の双方に原稿を自身が載置したのであれば、その後の設定操作をすることもユーザーは特に煩雑に感じない。しかしながら、原稿搬送装置に載置された原稿と原稿台に載置された原稿の一方が、他のユーザーが放置した原稿である場合、ユーザーは意図せず設定操作を要求されることになり、設定操作を煩わしく感じてしまう。
【０００８】
本発明は、このような従来の事情を鑑みてなされたものであり、原稿搬送装置に載置された原稿と原稿台に載置された原稿とが存在する場合、ユーザーがいずれの原稿の読み取りを希望しているかを可能な限り装置側で判断して、ユーザーに対する不要な設定操作の要求を低減することができる画像処理装置を提供することを目的とする。
【課題を解決するための手段】
【０００９】
上述の目的を達成するために、本発明は以下の技術的手段を採用している。すなわち、本発明に係る画像処理装置は、原稿搬送機構、搬送原稿読取部、搬送原稿検知部、原稿台、固定原稿読取部、固定原稿検知部、指示受付部、判定部、及び処理対象選択部を備える。原稿搬送機構は、原稿トレイに載置された原稿を画像読取位置へ１枚ずつ搬送する。搬送原稿読取部は、原稿搬送機構により画像読取位置に搬送された原稿の画像データを取得する。搬送原稿検知部は、原稿トレイ上の原稿の有無を検知する。原稿台は、原稿搬送機構による搬送を伴わない原稿が載置される原稿載置面を有する。固定原稿読取部は、原稿台に載置された原稿の画像データを取得する。固定原稿検知部は、原稿台上の原稿の有無を検知する。指示受付部は、ユーザーによる原稿読取開始指示を受け付ける。判定部は、指示受付部により原稿読取開始指示が受け付けられた際に、搬送原稿検知部及び固定原稿検知部により、原稿トレイ上の原稿及び原稿台上の原稿が検知された場合、原稿台上の原稿が放置原稿であるか否かを判定する。そして、処理対象選択部は、判定部により放置原稿であると判定された場合、搬送原稿読取部により取得された画像データを処理対象とする。また、処理対象選択部は、判定部により放置原稿でないと判定された場合、搬送原稿読取部により取得された画像データと、固定原稿読取部により取得された画像データとのいずれの画像データを処理対象とするかをユーザーに問い合わせる。
【００１０】
この画像処理装置では、原稿トレイ上と原稿台上との両方において原稿が検知された場合、原稿台上の原稿が放置原稿であるか否かが判定される。そして、放置原稿であると判定された場合、搬送原稿読取部により取得された画像データが、保存、印刷等の処理対象として選択される。すなわち、原稿台上の原稿が放置原稿であることが明らかである場合にはユーザーに問い合わせることなく搬送原稿読取部により取得された画像データが処理対象に決定される。したがって、原稿トレイ上と原稿台上との両方において原稿が検知された都度、いずれの原稿の画像データを選択するかをユーザーが設定する従来構成に比べて、ユーザーに対する設定操作の要求回数を低減することができる。
【００１１】
上記画像処理装置は、固定原稿画像保持部、読取制御部、及び比較部をさら備えてもよい。固定原稿画像保持部は、固定原稿読取部により以前に取得された画像データを保持する。読取制御部は、指示受付部により原稿読取開始指示が受け付けられた際に、搬送原稿検知部及び固定原稿検知部により、原稿トレイ上の原稿及び原稿台上の原稿が検知された場合、固定原稿読取部及び搬送原稿読取部に、画像データの取得を指示する。比較部は、読取制御部の指示に応じて固定原稿読取部により取得された画像データと、固定原稿画像保持部に保持された画像データとを比較する。この場合、上述の判定部は、比較部により同一画像ありと判定された場合、原稿台上の原稿が放置原稿であると判定し、比較部により同一画像なしと判定された場合、原稿台上の原稿が放置原稿でないと判定する。
【００１２】
この画像処理装置では、新たに取得された原稿台上の原稿の画像データと、固定原稿画像保持部に保持されている画像データとが同一の場合、原稿台上の原稿が放置原稿であると判定される。そのため、放置原稿であるか否かをより確実に判別することができる。
【００１３】
なお、上記固定原稿画像保持部は、以前に取得された複数の画像データを保持する構成を採用することができる。また、固定原稿画像保持部は、取得から予め指定された保持時間が経過した画像データを破棄する構成を採用することもできる。
【発明の効果】
【００１４】
本発明によれば、原稿搬送装置に載置された原稿と原稿台に載置された原稿とが存在する場合に、ユーザーがいずれの原稿の読み取りを希望しているかを可能な限り装置側で判断されるため、ユーザーに対する不要な設定操作の要求を低減することができる。
【図面の簡単な説明】
【００１５】
【図１】本発明の一実施形態における複合機の全体構成を示す概略構成図
【図２】本発明の一実施形態における複合機の上部外観を示す斜視図
【図３】本発明の一実施形態における複合機のハードウェア構成を示す図
【図４】本発明の一実施形態における複合機を示す機能ブロック図
【図５】本発明の一実施形態における複合機が実施する画像読取手順の一例を示すフロー図
【図６】本発明の一実施形態における他の複合機を示す機能ブロック図
【図７】本発明の一実施形態における他の複合機が実施する画像読取手順の一例を示すフロー図
【発明を実施するための形態】
【００１６】
以下、本発明の一実施形態について、図面を参照しながらより詳細に説明する。以下では、原稿搬送装置（原稿搬送機構）を備えるデジタル複合機として本発明を具体化する。
【００１７】
図１は本実施形態におけるデジタル複合機の全体構成の一例を示す概略構成図である。図１に示すように、複合機１００は、画像読取部１２０及び画像形成部１４０を含む本体１０１と、本体１０１の上方に取り付けられたプラテンカバー１０２とを備える。本体１０１の上面にはコンタクトガラス等の透明板からなる原稿台１０３が設けられており、原稿台１０３はプラテンカバー１０２によって開閉されるようになっている。
【００１８】
原稿台１０３の下方には、画像読取部１２０が設けられている。画像読取部１２０は、走査光学系１２１により原稿の画像を読み取りその画像のデジタルデータ（画像データ）を生成する。原稿は、原稿台１０３に載置することができる。
【００１９】
走査光学系１２１は、第１キャリッジ１２２及び第２キャリッジ１２３を備える。第１キャリッジ１２２には線状の光源１３１及びミラー１３２が設けられ、第２キャリッジ１２３にはミラー１３３及びミラー１３４が設けられている。光源１３１は原稿を照明する。ミラー１３２、１３３、１３４は、原稿からの反射光を集光レンズ１２４に導き、集光レンズ１２４はその光像をラインイメージセンサー１２５の受光面に結像する。
【００２０】
この走査光学系１２１において、第１キャリッジ１２２及び第２キャリッジ１２３は、副走査方向１３５に往復動可能に設けられている。第１キャリッジ１２２及び第２キャリッジ１２３を副走査方向１３５に移動することによって、原稿台１０３に載置された原稿の画像をイメージセンサー１２５で読み取ることができる。イメージセンサー１２５は、受光面に入射した光像から、原稿の画像データを生成する。
【００２１】
生成された画像データは、画像形成部１４０において被転写体である用紙等に印刷することができる。また、生成された画像データは、図示しないネットワークインターフェイス等を介して、ネットワークを通じて他の機器へ送信することもできる。
【００２２】
画像形成部１４０は、画像読取部１２０が生成した画像データや、ネットワークに接続された他の機器から受信した画像データを用紙に印刷する。画像形成部１４０は、手差しトレイ１５１、給紙カセット１５２、１５３、１５４等から、トナー像を転写する転写部１５５へ用紙を給紙する。転写部１５５においてトナー像が転写された用紙は排紙トレイ１４９へ排紙される。
【００２３】
このような複合機１００において、プラテンカバー１０２は、原稿搬送装置１１０を備えている。原稿搬送装置１１０は、ピックアップローラー１１３により原稿トレイ１１１にセットされた原稿を１枚ずつ搬送路１１６へ送り出す。その搬送路１１６上には画像読取位置１１７がある。搬送ローラー１１４は画像読取位置１１７へ原稿を搬送する。画像読取部１０２の上面には、原稿台１０３だけでなく、その画像読取位置１１７に対する原稿読取用のスリットガラス（読取用窓）１０４も設けられている。複合機１００では、スリットガラス１０４は、第１キャリッジ１２２及び第２キャリッジ１２３の移動方向において原稿台１０３と隣接する本体１０１の上面に設けられている。
【００２４】
原稿トレイ１１１にセットされた原稿の画像を読み取る場合、画像読取部１２０は、第１キャリッジ１２２及び第２キャリッジ１２３を画像読取位置１１７に合わせて一時的に静止させる。原稿が画像読取位置１１７を通過するとき、光源１３１は原稿を照明する。光源１３１からの光は、原稿台１０３を透過して原稿読取位置１１７を通過する原稿において反射し、ミラー１３２、１３３、１３４、集光レンズ１２４によってイメージセンサー１２５に導かれる。イメージセンサー１２５は、受光光に基づいて、画像データを生成する。画像読取位置１１７を通過した原稿は、排紙ローラー１１５により排紙トレイ１１２に排出される。
【００２５】
図２は、複合機の上部外観を示す斜視図である。上述のように、原稿台１０３に隣接してスリットガラス１０４が配置され、原稿搬送装置１１０の画像読取位置１１７がスリットガラス１０４と対向して配置されている。特に限定されないが、本実施形態では、画像読取位置１１７は、スリットガラス１０４において副走査方向１３５の中央部に設定されている。
【００２６】
複合機１００の手前側には、ユーザーが複合機１００に対する指示や各種設定を入力する操作パネル２０１が設けられている。本実施形態では、操作パネル２０１は、指示入力や各種情報の表示に使用されるタッチパネル式のディスプレイ２０２及び処理開始を指示するスタートボタン２０３を備えている。
【００２７】
図３は、複合機における制御系のハードウェア構成図である。本実施形態の複合機１００は、ＣＰＵ（Central Processing Unit）３０１、ＲＡＭ（Random Access Memory）３０２、ＲＯＭ（Read Only Memory）３０３、ＨＤＤ（Hard Disk Drive）３０４、及び原稿搬送装置１１０、画像読取部１２０、画像形成部１４０における各駆動部に対応するドライバー３０５が内部バス３０６を介して接続されている。
【００２８】
ＲＯＭ３０３やＨＤＤ３０４等はプログラムを格納しており、ＣＰＵ３０１はその制御プログラムの指令にしたがって複合機１００を制御する。例えば、ＣＰＵ３０１はＲＡＭ３０２を作業領域として利用し、ドライバー３０５とデータや命令を授受することにより上記各駆動部の動作を制御する。また、ＨＤＤ３０４は、画像読取部１２０により得られた画像データや、他の機器からネットワークを通じて受信した画像データの蓄積にも用いられる。
【００２９】
内部バス３０６には、操作パネル２０１や各種のセンサー３０７も接続されている。操作パネル２０１は、ユーザーの操作を受け付け、その操作に基づく信号をＣＰＵ３０１に供給する。また、操作パネル２０１は、ＣＰＵ３０１からの制御信号にしたがってディスプレイ２０２に操作画面を表示する。センサー３０７は、プラテンカバー１０２の開閉検知センサーや、原稿トレイ１１１上の原稿検知センサー、原稿台１０３上の原稿検知センサー（原稿サイズ検知センサー）、定着器の温度センサー、搬送される用紙又は原稿の検知センサーなど各種のセンサーを含む。
【００３０】
ＣＰＵ３０１は、例えばＲＯＭ３０３に格納されたプログラムを実行することで、以下の各手段（機能ブロック）を実現するとともに、これらセンサーからの信号に応じて各手段の動作を制御する。
【００３１】
図４は、本実施形態の複合機を示す機能ブロック図である。図４に示すように、本実施形態の複合機１００は、搬送原稿読取部４０１、搬送原稿検知部４０２、固定原稿読取部４０３、固定原稿検知部４０４、指示受付部４０５、判定部４０６、及び処理対象選択部４０７を備える。
【００３２】
搬送原稿読取部４０１は、原稿搬送装置１１０により画像読取位置１１７に搬送された原稿の画像データを取得する。搬送原稿読取部４０１は、上述のように、画像読取部１２０の、第１キャリッジ１２２及び第２キャリッジ１２３を画像読取位置１１７に合わせて一時的に静止させ、画像読取部１２０に、画像読取位置１１７を通過する原稿の画像データを生成させる。本実施形態では、搬送原稿読取部４０１は、画像読取部１２０を通じて取得した画像データを一時的に保持する。なお、本実施形態では、ＲＡＭ３０２やＨＤＤ３０４が搬送原稿読取部４０１の画像データ記憶領域として機能する。
【００３３】
搬送原稿検知部４０２は、原稿トレイ１１１上の原稿の有無を検知する。特に限定されないが、本実施形態では、搬送原稿検知部４０２は、原稿トレイ１１１に設けられた原稿検知センサーを使用して原稿トレイ１１１上の原稿の有無を検知する。原稿検知センサーには、公知の任意のセンサーを使用することができる。例えば、原稿検知センサーは、発光部及び受光部が一方面に配置された反射型フォトセンサー（フォトリフレクター）や発光部と受光部とが対向して配置された透過型フォトセンサー（フォトインターラプター）等の非接触型センサーにより構成することができる。また、原稿検知センサーは、原稿載置面に載置された原稿と当接し、原稿載置面に原稿がある状態と原稿がない状態とで位置が変動するアクチュエーターと、当該アクチュエーターの位置変動を検知するセンサーとを備える接触型センサーを使用して構成することもできる。
【００３４】
固定原稿読取部４０３は、原稿台１０３に載置された原稿の画像データを取得する。固定原稿読取部４０３は、上述のように、画像読取部１２０の第１キャリッジ１２２及び第２キャリッジ１２３を副走査方向１３５に移動させ、画像読取部１２０に、原稿台１０３に載置された原稿の画像データを生成させる。本実施形態では、固定原稿読取部４０３は、画像読取部１２０を通じて取得した画像データを一時的に保持する。なお、本実施形態では、ＲＡＭ３０２やＨＤＤ３０４が固定原稿読取部４０３の画像データ記憶領域として機能する。
【００３５】
固定原稿検知部４０４は、原稿台１０３上の原稿の有無を検知する。特に限定されないが、原稿台１０３上の原稿の有無は、例えば、公知の原稿サイズ検知手法を利用することで検知可能である。原稿サイズ検知手法には、例えば、原稿台１０３の下方に原稿サイズに対応して設けられた複数のフォトリフレクターにより、光学的に原稿サイズを検出する構成を使用することができる。また、走査光学系１２１を原稿台１０３のスリットガラス１０４側端部の下方に移動させて画像データを生成し、キャリッジ（例えば、第１キャリッジ１２２）の移動方向に垂直な方向（主走査方向）についてエッジ検出により主走査方向の原稿のエッジを検出する構成を使用することもできる。このような、原稿サイズ検知を使用した原稿有無の検知は、従来のサイズ検知のように、プラテンカバー１０２が開状態から閉状態になる過程での完全に閉状態になる直前のタイミングで実施されてもよく、原稿サイズ検知とは無関係に、原稿台１０３上の原稿有無の確認が必要なタイミングで実施されてもよい。なお、前者の場合、固定原稿検知部４０４は、原稿台１０３上の原稿有無の確認が必要なタイミングで既に実施されている原稿サイズ検知結果を参照し、何らかの原稿サイズが検知されていた場合、原稿ありを検知することになる。
【００３６】
指示受付部４０５は、ユーザーによる原稿読取開始指示を受け付ける。ユーザーによる画像読取開始指示は、例えば、操作パネル２０１に設けられたスタートボタン２０３の押下により入力される。
【００３７】
判定部４０６は、指示受付部４０５により原稿読取開始指示が受け付けられた際に、搬送原稿検知部４０２及び固定原稿検知部４０４により、原稿トレイ１１１上の原稿及び原稿台１０３上の原稿が検知された場合、原稿台１０３上の原稿が放置原稿であるか否かを判定する。特に限定されないが、本実施形態では、判定部４０６は、放置原稿であるか否かの判定を、複合機１００が備える固定原稿画像保持部４０８、読取制御部４０９及び比較部４１０を介して実施する。
【００３８】
ここで、固定原稿画像保持部４０８は、固定原稿読取部４０３により以前に取得され、画像処理対象となった画像データを保持する。特に限定されないが、本実施形態では、ＲＡＭ３０２やＨＤＤ３０４が固定原稿画像保持部４０８の画像データ記憶領域として機能する。
【００３９】
読取制御部４０９は、指示受付部４０５により原稿読取開始指示が受け付けられた際に、搬送原稿検知部４０２及び固定原稿検知部４０４により、原稿トレイ１１１上の原稿及び原稿台１０３上の原稿が検知された場合、固定原稿読取部４０３及び搬送原稿読取部４０１に画像データの取得を指示する。
【００４０】
比較部４１０は、読取制御部４０９の指示に応じて固定原稿読取部４０３により取得された画像データと、固定原稿画像保持部４０８に保持された画像データとを比較する。
【００４１】
本構成において、判定部４０６は、比較部４１０により同一画像ありと判定された場合、原稿台１０３上の原稿が放置原稿であると判定する。また、比較部４１０により同一画像なしと判定された場合、原稿台１０３上の原稿が放置原稿でないと判定する。すなわち、その時点で原稿台１０３上に載置されている原稿が既に画像データが取得された原稿である場合に放置原稿であると判定し、画像データが未だ取得された原稿である場合に放置原稿でないと判定する。
【００４２】
以上の構成において、固定原稿画像保持部４０８は、固定原稿読取部４０３による直前の画像読取動作により取得された画像データのみを保持する構成であってもよいが、本実施形態では、以前に取得された複数の画像データを保持する構成を採用している。これにより、例えば、原稿台１０３の放置原稿に気付いた他のユーザーが、その放置原稿を一旦退避させて自身の原稿を原稿台１０３上に載置して画像データを取得した後、退避させた放置原稿を再度原稿台１０３上に戻した場合でも放置原稿と認識することができる。
【００４３】
なお、固定原稿画像保持部４０８に複数の画像データは、予め指定されたタイミングで破棄（削除）される。ここで、予め指定されたタイミングとは、その画像データが取得された後、固定原稿読取部４０３による読取処理が予め指定された回数（例えば、３回）だけ実施されたときや、その画像データが取得された後、予め指定された保持時間（例えば、５分）が経過したとき等を採用することができる。これにより、固定原稿読取部４０３により画像データが取得された原稿が、放置原稿と判断され続けることを避けることができる。
【００４４】
また、判定部４０６は、原稿台１０３上の原稿が放置原稿であることが明らかである場合には、比較部４１０による画像データの比較を実施することなく、原稿台１０３上の原稿が放置原稿であると判定してもよい。原稿台１０３上の原稿が放置原稿であることが明らかである場合とは、例えば、固定原稿読取部４０３により画像データが取得された後、プラテンカバー１０２が開状態になることなく、予め指定された時間が経過した場合等である。
【００４５】
処理対象選択部４０７は、判定部４０６により放置原稿であると判定された場合、搬送原稿読取部４０１により取得された画像データを処理対象とする。また、処理対象選択部４０７は、判定部４０６により放置原稿でないと判定された場合、搬送原稿読取部４０１により取得された画像データと、固定原稿読取部４０３により取得された画像データとのいずれの画像データを処理対象とするかをユーザーに問い合わせる。当該問い合わせは、例えば、操作パネル２０１のディスプレイ２０２に、搬送原稿読取部４０１により取得された画像データを処理対象とするために選択される選択ボタンと、固定原稿読取部４０３により取得された画像データを処理対象とするために選択される選択ボタンを表示することで実施することができる。
【００４６】
なお、特に限定されないが、本実施形態では、複合機１００における、処理対象の画像データに対する保存、印刷等の画像処理は、画像処理実行部４１１が実行するよう構成されている。処理対象選択部４０７は、画像処理実行部４１１に処理対象の画像データを通知することで画像処理を実現する。
【００４７】
図５は、複合機１００が実行する画像読取手順の一例を示すフロー図である。当該手順は、指示受付部４０５が、ユーザーによる原稿読取開始指示を受け付けたことをトリガーとして開始する。
【００４８】
当該手順が開始すると、判定部４０６は、搬送原稿検知部４０２に原稿トレイ１１１上の原稿の有無を問い合わせる。また、判定部４０６は、固定原稿検知部４０４に原稿台１０３上の原稿の有無を問い合わせる（ステップＳ５０１）。
【００４９】
搬送原稿検知部４０２及び固定原稿検知部４０４の一方のみが原稿を検知している場合、判定部４０６は、特に動作しない（ステップＳ５０１Ｎｏ）。その結果、検知された原稿の画像データが生成され、当該画像データに対して、ユーザーにより指定された保存や印刷等の画像処理が画像処理実行部４１１により実施される（ステップＳ５１２）。すなわち、搬送原稿検知部４０２のみにより原稿が検知された場合、搬送原稿読取部４０１により取得された画像データが画像処理される。また、固定原稿検知部４０４のみにより原稿が検知された場合、固定原稿読取部４０３により取得された画像データが画像処理される。なお、固定原稿読取部４０３が画像データを取得し、画像処理がなされた場合、固定原稿読取部４０３は、取得した画像データを、取得した時刻を示す時刻情報とともに、固定原稿画像保持部４０８に登録する。
【００５０】
搬送原稿検知部４０２及び固定原稿検知部４０４の両方が原稿を検知している場合、判定部４０６は、上述の手法により、原稿台１０３上の原稿が、明らかな放置原稿であるか否かを判定する（ステップＳ５０１Ｙｅｓ、Ｓ５０２）。
【００５１】
放置原稿であると判定した場合、判定部４０６は、処理対象選択部４０７にその旨を通知する（ステップＳ５０２Ｙｅｓ）。当該通知に応じて、処理対象選択部４０７は、搬送原稿読取部４０１により取得された画像データを処理対象とする（ステップＳ５１３）。このとき、処理対象選択部４０７は、読取制御部４０９に対してその旨を通知する。当該通知に応じて、読取制御部４０９は、搬送原稿読取部４０１に画像データの取得を指示する。当該指示に応じて搬送原稿読取部４０１は、搬送トレイ１１１に載置された原稿の読み取りを開始する（ステップＳ５１４）。
【００５２】
また、処理対象選択部４０７は、搬送原稿読取部４０１により取得された画像データを処理対象とする旨を画像処理実行部４１１に通知する。当該通知に応じて、画像処理実行部４１１は、搬送原稿読取部４０１により取得された画像データに対して、ユーザーにより指定された保存や印刷等の画像処理を実施する（ステップＳ５１２）。
【００５３】
明らかな放置原稿であると判定できなかった場合、判定部４０６は、読取制御部４０９にその旨を通知する（ステップＳ５０２Ｎｏ）。当該通知に応じて、読取制御部４０９は、固定原稿読取部４０３及び搬送原稿読取部４０１に画像データの取得を指示する。このとき、読取制御部４０９は、まず、固定原稿読取部４０３に画像データの取得を指示する。当該指示に応じて固定原稿読取部４０３は、原稿台１０３上に載置された原稿の読み取りを開始する（ステップＳ５０３）。
【００５４】
原稿の読み取りを完了した固定原稿読取部４０３は、その旨を読取制御部４０９に通知する（ステップＳ５０４Ｎｏ、Ｓ５０４Ｙｅｓ）。当該通知に応じて、読取制御部４０９は、搬送原稿読取部４０１に画像データの取得を指示する。当該指示に応じて搬送原稿読取部４０１は、搬送トレイ１１１に載置された原稿の読み取りを開始する（ステップＳ５０５）。
【００５５】
また、原稿の読み取りを完了した固定原稿読取部４０３は、その旨を比較部４１０に通知する。当該通知に応じて、比較部４１０は、読取制御部４０９の指示に応じて固定原稿読取部４０３により取得された画像データと、固定原稿画像保持部４０８に保持された画像データとを比較する（ステップＳ５０６）。そして、比較部４１０は、比較結果（同一画像があったか否か）を判定部４０６に通知する。
【００５６】
上述のように、本実施形態では、固定原稿画像保持部４０８に、固定原稿読取部４０３により既に取得され、取得から予め指定された保持時間が経過していない画像データが保持されている。そのため、固定原稿画像保持部４０８に、複数の画像データが保持されている場合には、比較部４１０は、読取制御部４０９の指示に応じて固定原稿読取部４０３により取得された画像データと、固定原稿画像保持部４０８に保持されている全ての画像データとを比較する。
【００５７】
比較部４１０からの通知を受けた判定部４０６は、比較部４１０による比較結果が同一画像なしであった場合、原稿台１０３上の原稿が放置原稿でないと判定する（ステップＳ５０７Ｎｏ）。そして、判定部４０６は、処理対象選択部４０７にその旨を通知する。当該通知に応じて、処理対象選択部４０７は、搬送原稿読取部４０１により取得された画像データと、固定原稿読取部４０３により取得された画像データとのいずれの画像データを処理対象とするかをユーザーに問い合わせる（ステップＳ５０８）。上述のように、当該問い合わせは、操作パネル２０１のディスプレイ２０２に選択ボタンを含む問い合わせ画面を表示することで実施される。
【００５８】
問い合わせ画面においてユーザーが原稿台１０３上の原稿を選択した場合、処理対象選択部４０７は、読取制御部４０９にその旨を通知する（ステップＳ５０９Ｙｅｓ）。当該通知に応じて、読取制御部４０９は、搬送原稿読取部４０１に画像データ取得の中止を指示する。当該指示に応じて搬送原稿読取部４０１は、搬送トレイ１１１に載置された原稿の読み取りを中止する（ステップＳ５１０）。なお、このとき、原稿が、原稿搬送装置１１０の原稿トレイ１１１と排紙トレイ１１２とに分かれた状態になることを避けるため、原稿搬送のみは継続して全ての原稿を排紙トレイ１１２に搬送することが好ましい。
【００５９】
また、このとき、処理対象選択部４０７は、ユーザーの選択に応じて、固定原稿読取部４０３により取得された画像データを処理対象とする旨を画像処理実行部４１１に通知する（ステップＳ５１１）。当該通知に応じて、画像処理実行部４１１は、固定原稿読取部４０３により取得された画像データに対して、ユーザーにより指定された保存や印刷等の画像処理を実施する（ステップＳ５１２）。なお、このとき、固定原稿読取部４０３は、取得した画像データを、取得した時刻を示す時刻情報とともに、固定原稿画像保持部４０８に登録する。
【００６０】
また、問い合わせ画面においてユーザーが原稿トレイ１１１上の原稿を選択した場合、処理対象選択部４０７は、読取制御部４０９にその旨を通知する（ステップＳ５０９Ｎｏ）。当該通知に応じて、読取制御部４０９は、搬送原稿読取部４０１に画像データ取得の継続を指示する（ステップＳ５１５）。
【００６１】
また、このとき、処理対象選択部４０７は、ユーザーの選択に応じて、搬送原稿読取部４０１により取得された画像データを処理対象とする旨を画像処理実行部４１１に通知する（ステップＳ５１６）。当該通知に応じて、画像処理実行部４１１は、搬送原稿読取部４０１により取得された画像データに対して、ユーザーにより指定された保存や印刷等の画像処理を実施する（ステップＳ５１２）。
【００６２】
一方、比較部４１０からの通知を受けた判定部４０６は、比較部４１０による比較結果が同一画像ありであった場合、原稿台１０３上の原稿が放置原稿であると判定する（ステップＳ５０７Ｙｅｓ）。そして、判定部４０６は、処理対象選択部４０７にその旨を通知する。当該通知に応じて、処理対象選択部４０７は、搬送原稿読取部４０１により取得された画像データを処理対象とする（ステップＳ５１５、Ｓ５１６）。このとき、搬送原稿読取部４０１による画像データ取得は継続される。
【００６３】
また、このとき、処理対象選択部４０７は、搬送原稿読取部４０１により取得された画像データを処理対象とする旨を画像処理実行部４１１に通知する。当該通知に応じて、画像処理実行部４１１は、搬送原稿読取部４０１により取得された画像データに対して、ユーザーにより指定された保存や印刷等の画像処理を実施する（ステップＳ５１２）。
【００６４】
以上説明したように、この複合機１００では、原稿トレイ１１１上と原稿台１０３上との両方において原稿が検知された場合、原稿台１０３上の原稿が放置原稿であるか否かが判定される。そして、放置原稿であると判定された場合、搬送原稿読取部４０１により取得された画像データが、保存、印刷等の処理対象として選択される。すなわち、原稿台１０３上の原稿が放置原稿である場合にはユーザーに問い合わせることなく搬送原稿読取部４０１により取得された画像データが処理対象に決定される。したがって、原稿トレイ１１１上と原稿台１０３上との両方において原稿が検知された都度、いずれの原稿の画像データを選択するかをユーザーが設定する従来構成に比べて、ユーザーに対する設定操作の要求回数を低減することができる。
【００６５】
また、複合機１００では、新たに取得された原稿台１０３上の原稿の画像データと、固定原稿画像保持部５０８に保持されている画像データとが同一の場合、原稿台１０３上の原稿が放置原稿であると判定される。そのため、放置原稿であるか否かをより確実に判別することができる。
【００６６】
ところで、近年の複合機では認証機能を備えた構成が広く使用されている。以下では、認証機能を備えるデジタル複合機に適用した構成について説明する。なお、デジタル複合機の全体構成は、複合機１００と同様であるためここでの説明は省略する。
【００６７】
図６は、本実施形態の他の複合機を示す機能ブロック図である。図４に示すように、本実施形態の複合機６００は、複合機１００の構成に加えて、ユーザー特定部６０１及びユーザー判定部６０２を備える。また、処理対象選択部６０７、固定原稿画像保持部６０８は、上述した処理対象選択部４０７、固定原稿画像保持部４０８と同様の機能を有するが、認証機能との連携のため、後述のように、処理内容がやや異なっている。他の構成は、図４において説明した複合機１００と同様である。
【００６８】
ユーザー特定部６０１は、操作中のユーザーを特定する。ユーザー特定部６０１は、いわゆる認証部であり、操作パネル２０１等を通じて入力されたユーザー認証情報が、予め登録された認証条件を満足するか否かを判定することでユーザー認証処理を実行する。ここでは、ユーザーは、ディスプレイ２０２に表示されるソフトウェアキーボードを用いてユーザー認証情報を入力する。
【００６９】
複合機６００では、各ユーザーに一義的に割り当てられたユーザーＩＤと、当該ユーザーＩＤに対応づけられたパスワードをユーザー認証情報として使用している。ユーザーＩＤは、ユーザーを特定することができる情報であればよく、ここではソフトウェアキーボードにより入力可能な文字や記号等からなる情報によって構成されている。また、パスワードもソフトウェアキーボードにより入力可能な文字や記号等からなる情報によって構成されている。
【００７０】
本実施形態では、ユーザー特定部６０１に、複合機６００の使用を許可するユーザーのユーザーＩＤと当該ユーザーＩＤと対応づけられたパスワードを記録した使用許可者リストが予め登録されている。操作パネル２０１等を通じて入力されたユーザーＩＤ及びパスワードが使用許可者リストに含まれている場合、ユーザー特定部６０１はユーザー認証条件を満足すると判断する。ユーザー特定部６０１は、ユーザー認証条件を満足する場合に、そのユーザーによる複合機６００の使用（画像読取部１２０における画像データの生成、画像形成部１４０における画像データの印刷等）を許可し、ユーザー認証条件を満足しない場合に、そのユーザーによる複合機６００の使用を禁止する。したがって、ユーザー特定部６０１は、ユーザーＩＤにより操作中のユーザーを特定することができる。
【００７１】
また、本実施形態では、固定原稿画像保持部６０８は、上述の固定原稿画像保持部４０８と同様に、固定原稿読取部４０３により以前に取得された画像データを保持する。しかしながら、固定原稿画像保持部６０８は、上述の固定原稿画像保持部４０８とは異なり、固定原稿読取部４０３により以前に取得された画像データを、当該画像データを取得したユーザーを特定する情報（ここではユーザーＩＤ）と対応づけて保持している。
【００７２】
ユーザー判定部６０２は、指示受付部４０５により原稿読取開始指示が受け付けられた際に、搬送原稿検知部４０２及び固定原稿検知部４０４により、原稿トレイ１１１上の原稿及び原稿台１０３上の原稿が検知された場合、固定原稿画像保持部６０８に保持された画像データと対応づけられた情報により特定されるユーザーと、操作中のユーザーとが同一であるか否かを判定する。
【００７３】
処理対象選択部６０７は、ユーザー判定部６０２により同一ユーザーであると判定された場合、搬送原稿読取部４０１により取得された画像データと、固定原稿読取部４０３により取得された画像データとのいずれの画像データを処理対象とするかをユーザーに問い合わせる。また、処理対象選択部６０７は、ユーザー判定部６０２により同一ユーザーでないと判定された場合、判定部４０６により放置原稿であると判定されたときは、搬送原稿読取部４０１により取得された画像データを処理対象とする。さらに、処理対象選択部６０７は、ユーザー判定部６０２により同一ユーザーでないと判定された場合、判定部４０６により放置原稿でないと判定されたときは、搬送原稿読取部４０１により取得された画像データと、固定原稿読取部４０３により取得された画像データとのいずれの画像データを処理対象とするかをユーザーに問い合わせる。すなわち、処理対象選択部６０７は、ユーザー判定部６０２により同一ユーザーであると判定された場合、判定部４０６により放置原稿であると判定されたときであっても、いずれの画像データを処理対象とするかをユーザーに問い合わせる構成になっている。
【００７４】
また、図６に示すように、本実施形態の複合機６００は、通知部６０３及び通知先情報保持部６０４をさらに備える。
【００７５】
通知部６０３は、判定部４０６により放置原稿であると判定された場合、原稿を放置したユーザーにその旨を通知する。通知方法は、ユーザーが認識可能な方法であればよく、特に限定されない。本実施形態では、通知部６０３は、通知先情報保持部６０４に予め保持された、ユーザーを特定する情報と対応づけられた通知先の情報に基づいて、当該通知先に、原稿が放置されていることを通知する電子メールを送信する。
【００７６】
図７は、複合機６００が実行する画像読取手順の一例を示すフロー図である。当該手順は、指示受付部４０５が、ユーザーによる原稿読取開始指示を受け付けたことをトリガーとして開始する。
【００７７】
当該手順が開始すると、判定部４０６は、搬送原稿検知部４０２に原稿トレイ１１１上の原稿の有無を問い合わせる。また、判定部４０６は、固定原稿検知部４０４に原稿台１０３上の原稿の有無を問い合わせる（ステップＳ７０１）。
【００７８】
搬送原稿検知部４０２及び固定原稿検知部４０４の一方のみが原稿を検知している場合、上述の複合機１００と同様に、判定部４０６は、特に動作をしない（ステップＳ７０１Ｎｏ）。その結果、検知された原稿の画像データが生成され、当該画像データに対して、ユーザーにより指定された保存や印刷等の画像処理が画像処理実行部４１１により実施される（ステップＳ７１３）。なお、固定原稿読取部４０３が画像データを取得した場合、固定原稿読取部４０３は、取得した画像データを、当該画像データを取得したユーザーのユーザーＩＤ及び取得した時刻を示す時刻情報とともに、固定原稿画像保持部６０８に登録する。
【００７９】
搬送原稿検知部４０２及び固定原稿検知部４０４の両方が原稿を検知している場合、判定部４０６は、上述の手法により、原稿台１０３上の原稿が、明らかな放置原稿であるか否かを判定する（ステップＳ７０１Ｙｅｓ、Ｓ７０２）。
【００８０】
放置原稿であると判定した場合、判定部４０６は、処理対象選択部６０７にその旨を通知する（ステップＳ７０２Ｙｅｓ）。当該通知に応じて、処理対象選択部６０７は、通知部６０３に原稿放置通知の送信を指示する。当該指示に応じて、放置された原稿を原稿台１０３上に載置したユーザーを特定し、通知先情報保持部６０４に保持されている宛先に、複合機６００の原稿台１０３上に原稿が放置されている旨を記載した電子メールを送信する（ステップＳ７１４）。なお、本実施形態では、固定原稿検知部４０４は、上述した原稿サイズ検知の結果に基づいて原稿の有無を検知する構成であり、当該原稿サイズ検知時に操作中のユーザーのユーザーＩＤが、例えば、構成固定原稿検知部４０４に保持される構成になっている。そのため、放置された原稿を原稿台１０３上に載置したユーザーを容易に特定することができる。
【００８１】
また、処理対象選択部６０７は、判定部４０６からの通知に応じて、搬送原稿読取部４０１により取得された画像データを処理対象とする（ステップＳ７１５）。このとき、処理対象選択部６０７は、読取制御部４０９に対してその旨を通知する。当該通知に応じて、読取制御部４０９は、搬送原稿読取部４０１に画像データの取得を指示する。当該指示に応じて搬送原稿読取部４０１は、搬送トレイ１１１に載置された原稿の読み取りを開始する（ステップＳ７１６）。
【００８２】
また、処理対象選択部６０７は、搬送原稿読取部４０１により取得された画像データを処理対象とする旨を画像処理実行部４１１に通知する。当該通知に応じて、画像処理実行部４１１は、搬送原稿読取部４０１により取得された画像データに対して、ユーザーにより指定された保存や印刷等の画像処理を実施する（ステップＳ７１３）。
【００８３】
明らかな放置原稿であると判定できなかった場合、判定部４０６は、ユーザー判定部６０２にその旨を通知する（ステップＳ７０２Ｎｏ）。当該通知に応じて、ユーザー判定部６０２は、固定原稿画像保持部６０８に保持された画像データと対応づけられた情報により特定されるユーザーと、ユーザー特定部６０１により特定される操作中のユーザーとが同一であるか否かを判定する（ステップＳ７０３）。判定が完了したユーザー判定部６０２は、判定結果を判定部４０６に通知する。
【００８４】
上述のように、本実施形態では、固定原稿画像保持部６０８に、固定原稿読取部４０３により既に取得され、取得から予め指定された保持時間が経過していない画像データが保持されている。ここでは、固定原稿画像保持部６０８に、複数の画像データが保持されている場合には、ユーザー判定部６０２は、最新の画像データに対応づけられた情報により特定されるユーザーと、操作中のユーザーとが同一であるか否かを判定する。
【００８５】
ユーザーが同一でなかった場合、判定部４０６は、読取制御部４０９にその旨を通知する（ステップＳ７０３Ｎｏ）。当該通知に応じて、読取制御部４０９は、固定原稿読取部４０３及び搬送原稿読取部４０１に画像データの取得を指示する。このとき、読取制御部４０９は、まず、固定原稿読取部４０３に画像データの取得を指示する。当該指示に応じて固定原稿読取部４０３は、原稿台１０３上に載置された原稿の読み取りを開始する（ステップＳ７０４）。
【００８６】
原稿の読み取りを完了した固定原稿読取部４０３は、その旨を読取制御部４０９に通知する（ステップＳ７０５Ｎｏ、Ｓ７０５Ｙｅｓ）。当該通知に応じて、読取制御部４０９は、搬送原稿読取部４０１に画像データの取得を指示する。当該指示に応じて搬送原稿読取部４０１は、搬送トレイ１１１に載置された原稿の読み取りを開始する（ステップＳ７０６）。
【００８７】
また、原稿の読み取りを完了した固定原稿読取部４０３は、その旨を比較部４１０に通知する。当該通知に応じて、比較部４１０は、読取制御部４０９の指示に応じて固定原稿読取部４０３により取得された画像データと、固定原稿画像保持部６０８に保持された画像データとを比較する（ステップＳ７０７）。そして、比較部４１０は、比較結果を判定部４０６に通知する。
【００８８】
上述のように、本実施形態では、固定原稿画像保持部６０８に、固定原稿読取部４０３により既に取得され、取得から予め指定された保持時間が経過していない画像データが保持されている。そのため、固定原稿画像保持部６０８に、複数の画像データが保持されている場合には、比較部４１０は、読取制御部４０９の指示に応じて固定原稿読取部４０３により取得された画像データと、固定原稿画像保持部６０８に保持されている全ての画像データとを比較する。
【００８９】
当該通知を受けた判定部４０６は、比較部４１０による比較結果が同一画像なしであった場合、原稿台１０３上の原稿が放置原稿でないと判定する（ステップＳ７０８Ｎｏ）。そして、判定部４０６は、処理対象選択部６０７にその旨を通知する。当該通知に応じて、処理対象選択部６０７は、搬送原稿読取部４０１により取得された画像データと、固定原稿読取部４０３により取得された画像データとのいずれの画像データを処理対象とするかをユーザーに問い合わせる（ステップＳ７０９）。上述のように、当該問い合わせは、操作パネル２０１のディスプレイ２０２に選択ボタンを含む問い合わせ画面を表示することで実施される。
【００９０】
問い合わせ画面においてユーザーが原稿台１０３上の原稿を選択した場合、処理対象選択部６０７は、読取制御部４０９にその旨を通知する（ステップＳ７１０Ｙｅｓ）。当該通知に応じて、読取制御部４０９は、搬送原稿読取部４０１に画像データ取得の中止を指示する。当該指示に応じて搬送原稿読取部４０１は、搬送トレイ１１１に載置された原稿の読み取りを中止する（ステップＳ７１１）。
【００９１】
また、このとき、処理対象選択部６０７は、ユーザーの選択に応じて、固定原稿読取部４０３により取得された画像データを処理対象とする旨を画像処理実行部４１１に通知する（ステップＳ７１２）。当該通知に応じて、画像処理実行部４１１は、固定原稿読取部４０３により取得された画像データに対して、ユーザーにより指定された保存や印刷等の画像処理を実施する（ステップＳ７１３）。なお、このとき、固定原稿読取部４０３は、取得した画像データを、当該画像データを取得したユーザーのユーザーＩＤ及び取得した時刻を示す時刻情報とともに、固定原稿画像保持部６０８に登録する。
【００９２】
また、問い合わせ画面においてユーザーが原稿トレイ１１１上の原稿を選択した場合、処理対象選択部６０７は、読取制御部４０９にその旨を通知する（ステップＳ７１０Ｎｏ）。当該通知に応じて、読取制御部４０９は、搬送原稿読取部４０１に画像データ取得の継続を指示する（ステップＳ７１８）。
【００９３】
また、このとき、処理対象選択部６０７は、ユーザーの選択に応じて、搬送原稿読取部４０１により取得された画像データを処理対象とする旨を画像処理実行部４１１に通知する（ステップＳ７１９）。当該通知に応じて、画像処理実行部４１１は、搬送原稿読取部４０１により取得された画像データに対して、ユーザーにより指定された保存や印刷等の画像処理を実施する（ステップＳ７１３）。
【００９４】
一方、比較部４１０からの通知を受けた判定部４０６は、比較部４１０による比較結果が同一画像ありであった場合、原稿台１０３上の原稿が放置原稿であると判定する（ステップＳ７０８Ｙｅｓ）。そして、判定部４０６は、処理対象選択部６０７にその旨を通知する。当該通知に応じて、処理対象選択部６０７は、通知部６０３に原稿放置通知の送信を指示する。当該指示に応じて、同一原稿と判定された、固定原稿画像保持部６０８に保持された画像データと対応づけられた情報により特定されるユーザーを特定し、通知先情報保持部６０４に保持されている宛先に、複合機６００の原稿台１０３上に原稿が放置されている旨を記載した電子メールを送信する（ステップＳ７１７）。
【００９５】
また、処理対象選択部６０７は、判定部４０６からの通知に応じて、搬送原稿読取部４０１により取得された画像データを処理対象とする（ステップＳ７１８、Ｓ７１９）。このとき、搬送原稿読取部４０１による画像データ取得は継続される。
【００９６】
このとき、処理対象選択部６０７は、搬送原稿読取部４０１により取得された画像データを処理対象とする旨を画像処理実行部４１１に通知する。当該通知に応じて、画像処理実行部４１１は、搬送原稿読取部４０１により取得された画像データに対して、ユーザーにより指定された保存や印刷等の画像処理を実施する（ステップＳ７１３）。
【００９７】
また、ユーザー判定部６０２による判定において、ユーザーが同一であった場合、判定部４０６は、処理対象選択部６０７にその旨を通知する（ステップＳ７０３Ｙｅｓ）。当該通知に応じて、処理対象選択部６０７は、搬送原稿読取部４０１により取得された画像データと、固定原稿読取部４０３により取得された画像データとのいずれの画像データを処理対象とするかをユーザーに問い合わせる（ステップＳ７０９）。以降の処理は、上述のとおりであるので省略する。
【００９８】
以上説明したように、この複合機６００では、原稿トレイ１１１上と原稿台１０３上との両方において原稿が検知された場合、原稿台１０３上の原稿が放置原稿であるか否かが判定される。そして、放置原稿であると判定された場合、搬送原稿読取部４０１により取得された画像データが、保存、印刷等の処理対象として選択される。すなわち、原稿台１０３上の原稿が放置原稿である場合にはユーザーに問い合わせることなく搬送原稿読取部４０１により取得された画像データが処理対象に決定される。したがって、原稿トレイ１１１上と原稿台１０３上との両方において原稿が検知された都度、いずれの原稿の画像データを選択するかをユーザーが設定する従来構成に比べて、ユーザーに対する設定操作の要求回数を低減することができる。
【００９９】
また、処理対象選択部６０７は、ユーザー判定部６０２により同一ユーザーであると判定された場合、判定部４０６により放置原稿であると判定されたときであっても、いずれの画像データを処理対象とするかをユーザーに問い合わせる構成である。そのため、同一のユーザーが、同一の原稿画像を、原稿台１０３を使用して敢えて繰り返し取得する場合に、当該原稿が誤って放置原稿と判定されることもない。
【０１００】
さらに、複合機６００は、通知部６０３を備えるため、原稿を放置したユーザーに自動的に原稿放置を通知することができる。その結果、使用利便性を向上させることができる。
【０１０１】
なお、上述した各実施形態は本発明の技術的範囲を制限するものではなく、既に記載したもの以外でも、本発明の範囲内で種々の変形や応用が可能である。例えば、上記実施形態では、特に好ましい形態として、既取得画像と新たに取得した画像とを比較することで放置原稿であるか否かを判定する構成とした。しかしながら、固定原稿検知部４０４の検知状態の推移に基づいて放置原稿であるか否かを判定する構成であっても、従来と比較して、ユーザーに対する不要な設定操作の要求を低減する効果を得ることはできる。
【０１０２】
また、以上で説明したフロー図は、あくまで一例であり、同一の作用効果を奏する範囲において、適宜、変更可能である。
【０１０３】
さらに、上述の実施形態では、デジタル複合機として本発明を具体化したが、当該装置に限らず、スキャナー、ファクシミリ、複写機等の原稿搬送装置を使用した画像読取機能を有する任意の画像処理装置に本発明を適用することも可能である。
【産業上の利用可能性】
【０１０４】
本発明によれば、原稿搬送装置に載置された原稿と原稿台に載置された原稿とが存在する場合に、ユーザーがいずれの原稿の読み取りを希望しているかを可能な限り装置側で判断してユーザーに対する不要な設定操作の要求を低減することができ、画像処理装置として有用である。
【符号の説明】
【０１０５】
１００、６００  複合機（画像処理装置）
１０３  原稿台
１１０  原稿搬送装置（原稿搬送機構）
１１１  原稿トレイ
４０１  搬送原稿読取部
４０２  搬送原稿検知部
４０３  固定原稿読取部
４０４  固定原稿検知部
４０５  指示受付部
４０６  判定部
４０７、６０７  処理対象選択部
４０８、６０８  固定原稿画像保持部
４０９  読取制御部
４１０  比較部
６０１  ユーザー特定部
６０２  ユーザー判定部
６０３  通知部
６０４  通知先情報保持部
【図１】
0006269579.tif 000002
【図２】
0006269579.tif 000003
【図３】
0006269579.tif 000004
【図４】
0006269579.tif 000005
【図５】
0006269579.tif 000006
【図６】
0006269579.tif 000007
【図７】
0006269579.tif 000008